(57)【要約】【課題】  地震等による横ずれ、転倒を防止することができる上に納骨室の通気性を良好にすると共に組み立て容易で納骨室の開閉を容易に行える墓石構造物を提供する。【解決手段】  基礎上に複数の墓石石材を互いに重層させてなると共に、納骨室を備えた墓石構造物において、前記納骨室と外部を連結する通気孔を設け、前記納骨室の開口部に、一対の左右開き戸からなる観音開き戸を設け、最上部の墓石石材以外の墓石石材に締付ネジを貫通させ、この締付ネジの下部を基礎に係合させると共にその上部を最上部の墓石石材に固定して複数の墓石石材を基礎に連結固定したことにより、前記課題を解決した。【選択図】        図１
2007031982.tif 000002
【特許請求の範囲】
【請求項１】
基礎上に複数の墓石石材を互いに重層させてなると共に、納骨室を備えた墓石構造物において、
前記納骨室と外部を連結する通気孔を設け、
前記納骨室の開口部に、一対の左右開き戸からなる観音開き戸を設け、
前記最上部の墓石石材以外の前記墓石石材に締付ネジを貫通させ、この締付ネジの下部を前記基礎に係合させると共にその上部を前記最上部の墓石石材に固定して前記複数の墓石石材を前記基礎に連結固定したことを特徴とする、墓石構造物。
【請求項２】
前記基礎が凹部を有し、この凹部に装着板が掛け渡され、この装着板に前記締結ボルトの下部が係合していることを特徴とする、請求項1に記載の墓石構造物。
【請求項３】
前記締付ネジは、前記納骨室を貫通し、この締付ネジが、上部締付ネジと、下部締付ネジと、これら上部締付ネジと下部締付ネジを連結すると共に前記納骨室内に位置される締結部材とで構成されていることを特徴とする、請求項１又は２に記載の墓石構造物。
【請求項４】
前記上部締付ネジに締付部材が螺合され、この締付部材は、前記上部締付ネジに螺合する螺合孔を有すると共に、前記芝台の上面に接するヘッドを有し、かつ、前記納骨室の上壁を形成する墓石石材である芝台を貫通する締付ネジと、この締付ネジの下部に螺合し、前記芝台の下面に接してこの芝台の締付を行うダブルナットとからなることを特徴とする、請求項３に記載の墓石構造物。
【請求項５】
前記芝台上の前記墓石石材の前記上部締付ネジが貫通する貫通孔が、前記締付ネジのヘッドの径より大きな寸法の径で形成されていることを特徴とする、請求項４に記載の墓石構造物。
【請求項６】
前記芝台上の複数の前記墓石石材の貫通孔が、略同じ径で形成され、これら複数の貫通孔のうちの２つ以上の貫通孔内に、１つの横ずれ防止部材を挿入したことを特徴とする、請求項５に記載の墓石構造物。
【請求項７】
前記上部締付ネジに締付ナットが螺合され、この締付ナットが、最上部から２番目の前記墓石石材の上面に接することを特徴とする、請求項３〜６のいずれか１項に記載の墓石構造物。
【請求項８】
前記最上部の墓石石材である竿石の下面にネジ固定凹部を設け、このネジ固定凹部に接着剤を注入してから前記締付ネジの上部を挿入し、かつ、前記ネジ固定凹部内又は前記締付ネジの上部内に、前記接着剤に熱を作用させてその接着剤の接着力を不能にする加熱部材を設けたことを特徴とする、請求項１〜７のいずれか１項に記載の墓石構造物。
【請求項９】
前記墓石石材を取り囲むように前記基礎上に複数の基礎石が枠状に積層され、これらの基礎石を基礎石毎にそれぞれ高さ方向に貫通する係合ネジを前記基礎にそれぞれ立設し、各係合ネジに螺合締付部材をそれぞれ螺合させて前記基礎石を前記基礎に固定し、前記枠状に積層した前記基礎石のうち隣接する前記基礎石同士を連結部材で連結固定したことを特徴とする、請求項１〜８のいずれか1項に記載の墓石構造物。
【請求項１０】
前記基礎の下方の地中に支柱が打ち込まれ、この支柱の上部が前記基礎に固定されていることを特徴とする、請求項１〜９のいずれか１項に記載の墓石構造物。
【請求項１１】
前記基礎上に、前記墓石石材を石組みすることにより前面に開口部をする前記納骨室が形成され、前記開口部の両側部を形成する前記墓石石材に、前記一対の左右開き戸がそれぞれ蝶番を介して開閉可能に取り付られていることを特徴とする、請求項１〜１０のいずれか１項に記載の墓石構造物。
【請求項１２】
石碑の底面に係合凹部を設け、台座の上面に、前記石碑の下部が嵌合される嵌合凹部を設け、この嵌合凹部内に移動可能にＬアングルを設け、この台座の嵌合凹部に前記石碑の下部を嵌合して前記Ｌアングルを移動し、このＬアングルと前記石碑の底面を係合させて前記石碑を前記台座に固定し、この台座を介して前記石碑を前記基礎上に墓石石材を介して設置するようにしたことを特徴とする、請求項１〜１１のいずれか１項に記載の墓石構造物。
【発明の詳細な説明】
【技術分野】
【０００１】
本発明は、地震等による横ずれ、転倒を防止することができる上に納骨室の通気性を良好にすると共に納骨室の開閉を容易に行える墓石構造物に関するものである。
【背景技術】
【０００２】
墓石構造物は、遺骨・遺品（髪・爪など）を納めて、祖先等を敬う心を表し供養するものである。墓石構造物としては、法的な決まりはなく、例えば、少なくとも、カロートにより区画され遺骨等を納める納骨室と、お墓の中心である石碑からなる。すなわち、墓石構造物としては、カロートの上に石碑が建てられた構造のものが一般的である。この墓石構造物は、複数の墓石石材を基礎の上に単に重層設置して形成すると、地震等で特に水平方向に大きく揺れた場合には、横ずれや転倒等が生じることがあった。このため、基礎の上に重層設置される複数の墓石石材を連結材で連結することが提案されている（特許文献１、２参照。）。
【特許文献１】特開昭６４−１８７８号公報
【特許文献２】特開平９−６０３４８号公報
【特許文献３】特開２００２−３８７６９号公報
【発明の開示】
【発明が解決しようとする課題】
【０００３】
これらの特許文献に記載されている墓石構造は、いずれも基礎の上に重層設置された複数の墓石石材が連結材で連結されているので、地震で大きく揺れても複数の墓石石材が互いに横ずれを生じることはないが、基礎に対しては横ずれを生じたり、連結材で連結された複数の墓石石材が一体的に転倒する可能性があったりする。このため、基礎と基礎に接する墓石石材を接着剤で接着したり、アンカーナットとボルトを用いて締結したりすることが提案されているが、部品点数が増えてコストが高くなると共に、基礎と墓石石材を固定するための個別の作業が増えて構築作業性が悪い。
【０００４】
また、複数の墓石石材を互いに重層させて納骨室を形成し、この納骨室の開口部に取り外し可能な蓋石を取り付けて、納骨室に遺骨等を収納することができるようになっている。しかし、納骨室に遺骨等を収納する場合には蓋石を取り外さなければならず、納骨室の開閉がし難く見栄えが悪い。また、納骨室の開口部に開き戸を開閉可能に設けることが提案されるが、この場合、開き戸を納骨室の開口部にピボットを設ける場合には納骨室の開口部への開き戸の組み立てを簡単には行えない。また、納骨室は蓋石によって閉塞されているために、通気性が悪く湿気がこもるので、納骨室に収納した遺骨等の保存状態が悪くなるという問題があった。
【０００５】
本発明は、前記課題を解決するためになされたものであって、その目的は、地震等による横ずれ、転倒を防止することができる上に納骨室の通気性を良好にすると共に組み立て容易で納骨室の開閉を容易に行える墓石構造物を提供することにある。
【課題を解決するための手段】
【０００６】
前記の目的を達成するための本発明に係る墓石構造物は、基礎上に複数の墓石石材を互いに重層させてなると共に、納骨室を備えた墓石構造物において、前記納骨室と外部を連結する通気孔を設け、前記納骨室の開口部に、一対の左右開き戸からなる観音開き戸を設け、前記最上部の墓石石材以外の前記墓石石材に締付ネジ棒を貫通させ、この締付ネジ棒の下部を前記基礎に係合させると共にその上部を前記最上部の墓石石材に固定して前記複数の墓石石材を前記基礎に連結固定したことを特徴とする。
【０００７】
この発明によれば、墓石石材に締付ネジ棒を貫通させ、この締付ネジ棒の下部を基礎に係合させると共にその上部を最上部の墓石石材に固定して複数の墓石石材を基礎に連結固定したことにより、基礎に対して墓石石材が横ずれしないと共に、転倒することがない。また、納骨室と外部を連結する通気孔を設けたので、納骨室の通気性が良好になる。また、納骨室の開口部に、一対の左右開き戸からなる観音開き戸を設けたので、納骨室の開閉を容易に行える。
【０００８】
本発明に係る墓石構造物において、前記基礎が凹部を有し、この凹部に装着板が掛け渡され、この装着板に前記締結ボルトの下部が係合していることが好ましい。また、本発明に係る墓石構造物において、前記締付ネジ棒は、前記納骨室を貫通し、この締付ネジ棒が、上部締付ネジ棒と、下部締付ネジ棒と、これら上部締付ネジ棒と下部締付ネジ棒を連結すると共に前記納骨室内に位置される締結部材とで構成されていることが好ましい。また、本発明に係る墓石構造物において、前記上部締付ネジ棒に締付部材が螺合され、この締付部材は、前記上部締付ネジ棒に螺合する螺合孔を有すると共に、前記芝台の上面に接するヘッドを有し、かつ、前記納骨室の上壁を形成する墓石石材である芝台を貫通する締付ネジ棒と、この締付ネジ棒の下部に螺合し、前記芝台の下面に接してこの芝台の締付を行うダブルナットとからなることが好ましい。また、本発明に係る墓石構造物において、前記芝台上の前記墓石石材の前記上部締付ネジ棒が貫通する貫通孔が、前記締付ネジ棒のヘッドの径より大きな寸法の径で形成されていることが好ましい。また、本発明に係る墓石構造物において、前記芝台上の複数の前記墓石石材の貫通孔が、略同じ径で形成され、これら複数の貫通孔のうちの２つ以上の貫通孔内に、１つの横ずれ防止部材を挿入したことが好ましい。また、本発明に係る墓石構造物において、前記上部締付ネジ棒に締付ナットが螺合され、この締付ナットが、最上部から２番目の前記墓石石材の上面に接することが好ましい。
【０００９】
また、本発明に係る墓石構造物において、前記最上部の墓石石材である竿石の下面にネジ固定凹部を設け、このネジ固定凹部に接着剤を注入してから前記締付ネジ棒の上部を挿入し、かつ、前記ネジ固定凹部内又は前記締付ネジ棒の上部内に、前記接着剤に熱を作用させてその接着剤の接着力を不能にする加熱部材を設けることが好ましい。また、本発明に係る墓石構造物において、前記墓石石材を取り囲むように前記基礎上に複数の基礎石が枠状に積層され、これらの基礎石を基礎石毎にそれぞれ高さ方向に貫通する係合ネジを前記基礎にそれぞれ立設し、各係合ネジに螺合締付部材をそれぞれ螺合させて前記基礎石を前記基礎に固定し、前記枠状に積層した前記基礎石のうち隣接する前記基礎石同士を連結部材で連結固定することが好ましい。また、本発明に係る墓石構造物において、前記基礎の下方の地中に支柱が打ち込まれ、この支柱の上部が前記基礎に固定されていることが好ましい。また、本発明に係る墓石構造物において、前記基礎上に、前記墓石石材を石組みすることにより前面に開口部をする前記納骨室が形成され、前記開口部の両側部を形成する前記墓石石材に、前記一対の左右開き戸がそれぞれ蝶番を介して開閉可能に取り付られていることが好ましい。また、本発明に係る墓石構造物において、石碑の底面に係合凹部を設け、台座の上面に、前記石碑の下部が嵌合される嵌合凹部を設け、この嵌合凹部内に移動可能にＬアングルを設け、この台座の嵌合凹部に前記石碑の下部を嵌合して前記Ｌアングルを移動し、このＬアングルと前記石碑の底面を係合させて前記石碑を前記台座に固定し、この台座を介して前記石碑を前記基礎上に墓石石材を介して設置するようにすることが好ましい。
【発明の効果】
【００１０】
以上説明したように本発明に係る墓石構造物によれば、墓石石材を貫通させた締付ネジ棒の下部を基礎に係合させると共にその上部を最上部の墓石石材に固定して複数の墓石石材を基礎に連結固定し、納骨室と外部を連結する通気孔を設け、納骨室の開口部に、一対の左右開き戸からなる観音開き戸を設けたので、地震等による横ずれ、転倒を防止することができ、かつ、納骨室の通気性を良好にすると共に組み立て容易で納骨室の開閉を容易に行える。
【発明を実施するための最良の形態】
【００１１】
以下、本発明に係る墓石構造物を添付図面に基づいて詳述する。
【００１２】
図１〜図４は本発明に係る墓石構造物の一例を示す図である。本発明に係る墓石構造物は、図１〜図４に示すように、基礎２上に複数の墓石石材を互いに重層させてなると共に、納骨室３を備えた墓石構造物において、納骨室３と外部を連結する通気孔５を設け、納骨室３の開口部に、一対の左右開き戸６１、６２からなる観音開き戸６を設け、最上部の墓石石材以外の墓石石材に締付ネジ棒７を貫通させ、この締付ネジ棒７の下部を基礎２に係合させると共にその上部を最上部の墓石石材に固定して複数の墓石石材を基礎２に連結固定したことに特徴がある。
【００１３】
基礎２は、例えば、コンクリート現場打設施工で左右に長い矩形板状に形成されている。この基礎２の左右方向の略中央部であって前後方向中央部より若干後方側には、貫通する矩形状の凹部２１が設けられている。この基礎２には、地中に打ち込んだ支柱２５を有する。支柱２５は、例えばくい等であり、具体的には塩化ビニルパイルである。支柱２５が打ち込まれる箇所は、基礎２上に重層された複数の墓石石材の重量が作用する基礎２例えば矩形状に重量が作用する場合には、その矩形状の４隅等である。これら支柱２５の上部を含んでコンクリートが打設されて基礎２が形成される。基礎２の凹部２１の両側部（左右部分）の略中央部と後部近傍には、基礎２の下面の一部を切り欠いたような矩形凹状の装着部２３がそれぞれ設けられている。
【００１４】
墓石石材は、例えば、基礎２上に構築されるカロート１１と、このカロート１１上に積層される芝台１２と、この芝台１２上に順次積層される中台１３及び上台１４と、この上台１４上に積層されるスリン１５と、このスリン１５上に積層され、重力方向に延びる竿石１６とで構成されている。
【００１５】
カロート１１は、例えば、基礎２上にその凹部２１を前方が開放された状態で取り囲むと共に上方が矩形板状の芝台１２で閉塞された例えばコ字状に形成されている。このカロート１１及び芝台１２で形成される空間が納骨室３である。この納骨室３の下部であって基礎２の凹部２１上には収納台１７が設けられており、この収納台１７等の上に遺骨・遺品（髪・爪など）等が収納される。
【００１６】
基礎２上のカロート１１の前端部の外側には、左右方向に基礎２の両側部までそれぞれ延びる中仕切である前面基礎石４１がそれぞれ設けられている。基礎２の両側部の前面基礎石４１より後方側には、側部基礎石４２がそれぞれ設けられている。また、基礎２の後端部には、後部基礎石４３が設けられている。すなわち、前面基礎石４１、側部基礎石４２及び後部基礎石４３によって基礎２上にカロート１１の側部及び後部が枠状に囲まれている。これら基礎石４１、４２、４３は、図６に示すように、基礎石固定手段５０によってそれぞれ基礎２に固定されていることが好ましい。
【００１７】
基礎石固定手段５０は、例えば、基礎２に立設され、各基礎石４１、４２、４３を基礎石毎にそれぞれ高さ方向に貫通する係合ネジ５１と、この係合ネジ５１に螺合する螺合締付部材５２とからなることが好ましい。また、基礎石固定手段５０は、さらに、隣接する基礎石４１、４２、４３同士を連結固定する連結部材５３を備えることが好ましい。
【００１８】
係合ネジ５１は、外周にネジ溝が螺設されたものである。係合ネジ５１は、基礎２に重力方向に延びて立設されている。係合ネジ５１の下部は、基礎２に埋め込まれて基礎２に固定されている。係合ネジ５１の長さは、その上端部が基礎石４１、４２、４３の上面より重力方向下方、好ましくは若干下方に位置される寸法で形成されていることが好ましい。係合ネジ５１は、各基礎石４１、４２、４３毎に１つ又は２つ以上設けられている。係合ネジ５１を１つ設ける場合には、係合ネジ５１が各基礎石４１、４２、４３の略中央部に位置されるようにすることが好ましい。係合ネジ５１を２つ以上設ける場合には、少なくとも２つを各基礎石４１、４２、４３の両端部近傍に位置されるようにすることが好ましい。なお、本実施の形態では係合ネジ５１を１つ設ける場合に説明するが、これに限定されるものではない。
【００１９】
基礎石４１、４２、４３の略中央部には、係合ネジ５１が挿入される貫通孔５６が設けられている。貫通孔５６は、例えば、係合ネジ５１の径より大きい、例えば若干大きな寸法で形成されていることが好ましい。貫通孔５６の上部側は、拡径されて収容凹部５６ａとして形成され、この収容凹部５６ａに係合ネジ５１に螺合された螺合締付部材５２例えばナット５２ａ等がワッシャー６７を介して収容されている。
【００２０】
連結部材５３は、例えば、ボルト５４とナット５５からなり、基礎石４１、４２、４３を連結固定するものである。例えば、２つの側部基礎石４２の内面の前端部近傍に、前面基礎石４１の端面（第１端面ということがある。）がそれぞれ当接されていると共に、２つの側部基礎石４２の内面の後端部近傍に、後部基礎石４３の両端面がそれぞれ当接されて、基礎石４１、４２、４３が枠状に積層されている。側部基礎石４２の両端部近傍であって前面基礎石４１の第１端面又は後部基礎石４３の端面が当接する箇所には、その内面と外面（内面とは反対の面）を貫通する貫通孔５７が設けられている。貫通孔５７の外面側は、拡径されてヘッド収容凹部５７ａとして形成され、このヘッド収容凹部５７ａにボルト５４のヘッド５４ａが収容される。このヘッド収容凹部５７ａは、ボルト５４のヘッド５４ａが収容されてから蓋体（図示せず）を設けて閉塞するようにすることが好ましい。
【００２１】
前面基礎石４１の第１端面及び後部基礎石４３の両端面であって側部基礎石４２の貫通孔５７と対応する位置には、その貫通孔５７と略同軸上に延びる取付孔５８がそれぞれ設けられている。これら取付孔５８は、前面基礎石４１の内面及び後部基礎石４３の内面にそれぞれ設けられた矩形状に凹んだ取付凹部５９にそれぞれ連通されている。側部基礎石４２の貫通孔５７と前面基礎石４１の取付孔５８及び後部基礎石４３の取付孔５８を軸あわせ後にボルト５４を貫通孔５７及び取付孔５８に挿通させる。ボルト５４の先端部は取付凹部５９から突出し、この先端部にワッシャー６８を介してナット５５を螺合させて締め付けることにより、隣接する基礎石４１、４２、４３同士を連結固定することができる。連結部材５３の個数は、１つでも２つ以上でもよく、例えば、２つであることが好ましい。すなわち、連結部材５３は、基礎石４１、４２、４３の上方及び下方の２箇所に設けることが好ましい。
【００２２】
また、前面基礎石４１、側部基礎石４２及び後部基礎石４３によって形成された空間の上部が、図１〜図４に示すように、床石４４によって閉塞されている。すなわち、前面基礎石４１、側部基礎石４２及び後部基礎石４３上に床石４４が積層されている。この床石４４の上面の位置とカロート１１の上面の位置とが略同一平面上になるように構成されていることが好ましい。両側部基礎石４２には、それぞれ風窓４８が設けられており、前面基礎石４１、側部基礎石４２、後部基礎石４３及び床石４４によって形成される空間（内部空間４５ということがある。）の通気性が良好になっている。また、両側部基礎石４２等の前方の基礎２上には、親柱石４６がそれぞれ立設されている。また、親柱石４６間であって前面基礎石４１の前方の基礎２上には、敷石４７が設けられている。
【００２３】
また、床石４４や敷石４７上には、墓誌等の石碑が設置されている。石碑は、図８及び図９に示すように、矩形平板状に形成されている。この石碑８１、９１には、例えば、戒名と俗名等が刻印されている。石碑８１、９１は、立てられた状態で床石４４等の上に台座（墓誌台ということがある。）８５、９５を介して設置されるものである。石碑８１、９１の台座８５、９５への固定は、特に限定されないが、図８に示すように、２つのボルト８３を用いて行うようにしてもよいし、図９に示すように、Ｌアングル９２を用いて行うようにしてもよい。
【００２４】
２つのボルト８３を用いる場合には、図８に示すように、石碑８１の下方の両側部近傍には、ボルト８３が装着される装着孔８２がそれぞれ設けられている。装着孔８２の一方の端部は、ナット８４が装着されるボルト装着孔８２ａとして形成されている。この石碑８１の下部が例えば石碑８１と同じ石材からなる台座８５に装着されている。台座８５は細長の直方体状に形成されている。この台座８５の上面には、石碑８１の下部が嵌合されて装着される嵌合凹部８６が設けられている。台座８５の一方の側面の上方であって石碑８１の装着孔８２と対応する位置には、ボルト挿通孔８７が設けられている。
【００２５】
このボルト装着孔８２ａにナット８４を装着した状態のまま石碑８１の下方を台座８５の嵌合凹部８６に嵌合する。嵌合後、ボルト８３をボルト挿通孔８７を介して装着孔８２に挿入して、この先端部をナット８４に螺合させてボルト８３を締め付ける。これにより、台座８５に石碑８１を立設させることができ、石碑８１が飛ばされたり、倒れたりすることなく床石４４や敷石４７上に設置することができる。なお、台座８５に石碑８１を装着した後、ボルト挿通孔８７を閉塞すべく接着剤等の固定剤をボルト挿通孔８７に充填した後、蓋８８等によって塞いでもよい。また、台座８５の底面に接着剤等の固定剤を付着して台座８５を石碑８１と共に床石４４や敷石４７の所望の箇所に固定するようにしてもよい。
【００２６】
また、Ｌアングル９２を用いる場合、図９に示すように、石碑９１の底面であってその底面の長手方向の中央部を中心に対称となる２箇所には、係合凹部９３がそれぞれ設けられている。これら係合凹部９３の石碑９１の底面の両端部側の壁部は、Ｌアングル９２の角度に応じてその角度が決められて係合部９３ａとして形成されている。例えば、Ｌアングル９２として６０°Ｌアングル９２を用いた場合には、係合部９３ａの角度は、６０°であることが好ましい。
【００２７】
台座９５の上面には、石碑９１の下部が嵌合されて装着される嵌合凹部９６が設けられている。台座９５の両端面には、ネジ挿通孔９７がそれぞれ設けられている。ネジ挿通孔９７の開口部近傍は、ナット挿通孔９８として形成されている。ネジ挿通孔９７は、嵌合凹部９６の底面に貫通している。このネジ挿通孔９７に挿通されたネジ９４の嵌合凹部９６内にＬアングル９２が設けられている。Ｌアングルは、直角のＬアングルでもよいが、傾斜したすなわち鋭角なＬアングルであることが好ましく、特に６０°Ｌアングル９２等であることが好ましい。
【００２８】
この６０°Ｌアングル９２の下面に固定ナット９９が固着されている。この固定ナット９９が嵌合凹部９６内に位置された状態でネジ９４の先端部に固定されている。ネジ９４の後部はナット挿通孔９８内に至り、このナット挿通孔９８内に設けたナット１００に螺合されている。このナット１００をネジ９４に対して回転させることで、固定ナット９９を介して６０°Ｌアングル９２が嵌合凹部９６の長手方向に沿って移動し、石碑９１が嵌合凹部９６に装着時、６０°Ｌアングル９２と係合部９３ａが係合するようになっている。このとき、石碑９１の下面とネジ９４の間には、ネジ９４の移動を容易にするために緩衝部材、例えば鉛玉１０１等を設けるようにしてもよい。また、石碑９１が嵌合凹部９６に装着されている場合の係合凹部９３の間には、図８に示した構造と略同じようにボルトとナット８４で石碑９１を台座９５に固定するようにしてもよい。このようにしても、台座９５に石碑９１を立設させることができ、石碑９１が飛ばされたり、倒れたりすることなく床石４４や敷石４７上に設置することができる。なお、台座９５の底面に接着剤等の固定剤を付着して台座９５を石碑９１と共に床石４４や敷石４７の所望の箇所に固定するようにしてもよい。
【００２９】
カロート１１の両側壁である両柱石１１ａには、図２〜図４に示すように、それぞれ納骨室３と外部を内部空間４５を介して連通する通気孔５が設けられており、納骨室３の通気性が良好になっている。
【００３０】
また、両柱石１１ａの前方は、図５に示すように、納骨室３の開口部側に延びる、すなわち対向する柱石１１ａ側に略直角に折り曲がったＬ字状に取付部１１ｂとして形成されている。取付部１１ｂの厚さ及び幅は、例えば、ボルトアンカー３５等の固定部材を挿入固定し得る寸法で形成されている。これら柱石１１ａの取付部１１ｂには、一対の左右開き戸６１、６２が開閉可能に取り付られて、納骨室３の開口部に観音開き戸６が設けられていることになる。一対の左右開き戸６１、６２の高さ方向の長さは、例えば、柱石１１ａの取付部１１ｂの高さ方向の長さより若干短い寸法で形成されていることが好ましい。一対の左右開き戸６１、６２の前面には、取っ手６３が設けられており、一対の左右開き戸６１、６２の開閉が容易になっている。
【００３１】
一対の左右開き戸６１、６２の取付は、蝶番６５を用いて行うことが好ましい。蝶番６５は、一対の左右開き戸６１、６２を開閉可能にするものであれば特に限定されず、例えば、ボルトアンカー３５とナット３６を用いて柱石１１ａの納骨室３側の面及び左右開き戸６１、６２の側面にそれぞれ取り付けられて、左右開き戸６１、６２を納骨室３に開閉可能にするものである。この蝶番６５は、例えば、一対の左右開き戸６１、６２の上方及び下方の２箇所に設けられていることが好ましい。
【００３２】
中台１３は、図１〜図３に示すように、水平方向の断面が芝台１２の上面より若干小さな矩形状の直方体状に形成されている。上台１４は、水平方向の断面が中台１３の上面より若干小さな矩形状の直方体状に形成されている。竿石１６は、水平方向の断面が上台１４の上面より若干小さな矩形状であって重力方向に延びた直方体状に形成されている。
【００３３】
締付ネジ棒７は、最上部の墓石石材以外の墓石石材、すなわち、竿石１６以外の墓石石材内を貫通して高さ方向（重力方向）に延びて設けられており、墓石石材を基礎２に連結固定するためのものである。締付ネジ棒７は、納骨室３を貫通するように設けられることが好ましい。すなわち、締付ネジ棒７の設置位置は、基礎２上に重層される墓石石材の幅方向及び前後方向の略中央部にその高さ方向に延びて形成されていることが好ましい。締付ネジ棒７の個数は、特に限定されず、１つでも２つ以上でもよいが、本発明の形態では１つの場合について説明する。なお、締付ネジ棒を２つ以上例えば２つ設ける場合には、墓石石材の前後方向の略中央部であってその略中央部を中心として幅方向に対称の位置に２つの締付ネジ棒を設けることが好ましい。また、締付ネジ棒を３つ設ける場合には、墓石石材の略中央部を中心に正三角形の略各頂点の位置に３つの締付ネジ棒を設けることが好ましい。
【００３４】
締付ネジ棒７は、周面にねじ溝が螺設された棒状のネジ等であり、１本のネジであってもよいが、上部締付ネジ棒７１と下部締付ネジ棒７２の２本のネジ棒と、これらネジ棒７１、７２を連結する締結部材とからなることが好ましい。上部締付ネジ棒７１は、墓石石材を貫通する寸法で形成されていることが好ましい。すなわち、上部締付ネジ棒７１は、芝台１２、中台１３、上台１４及びスリン１５を貫通する寸法で形成されていることが好ましく、下部締付ネジ棒７２は、基礎２内に位置される寸法、例えば基礎２の厚さの半分以下の寸法で形成されていることが好ましい。締結部材は、上部締付ネジ棒７１と下部締付ネジ棒７２を連結すると共に、上部締付ネジ棒７１と下部締付ネジ棒７２の間の長さを調節して（可変させて）墓石石材を基礎２に連結固定するものであり、納骨室３内に位置されていることが好ましい。締結部材としては、特に限定されず、例えば、ターンバックル７５等が挙げられる。
【００３５】
芝台１２、中台１３、上台１４及びスリン１５の幅方向及び前後方向の略中央部には、上下方向に貫通する連結孔１２ｂ、１３ｂ、１４ｂ、１５ｂがそれぞれ設けられており、これら連結孔１２ｂ、１３ｂ、１４ｂ、１５ｂに上部締付ネジ棒７１が挿通される。芝台１２の連結孔１２ｂは、上部締付ネジ棒７１に螺合される締付部材例えば締付ネジ３１の螺合部３１ｂが挿通し得る径、すなわち、締付部材の直径より若干大きな寸法で形成されていることが好ましい。この連結孔１２ｂの上面側（芝台１２の上面側）は、拡径されて締結凹部１２ａとして形成され、この締結凹部１２ａに締付ネジ３１のヘッド３１ａが収容される。
【００３６】
締付ネジ３１は、ヘッド３１ａと、外表面にねじ溝が螺設されている螺合部３１ｂと、その同軸上に上部締付ネジ棒７１に螺合される螺合孔３１ｃとを有するものである。この締付ネジ３１の長さは芝台１２を貫通する寸法で形成されていることが好ましい。すなわち、締付ネジ３１は、ヘッド３１ａが例えばワッシャー３３を介して締結凹部１２ａに収容された状態で下部が芝台１２の下面から突出し、この下部にダブルナット３２が螺合されている。ダブルナット３２は、芝台１２の下面に接してダブルナット３２の上部ナット３２ａ及び下部ナット３２ｂを締付ネジ３１に対して回転させることによって、芝台１２の基礎２への締付を行ったり締付を緩めたりできるようになっている。
【００３７】
中台１３の連結孔１３ｂ、上台１４の連結孔１４ｂ及びスリン１５の連結孔１５ｂの直径は、締付ネジ３１のヘッド３１ａの径（締付ネジ３１の軸方向に対して直交する方向のヘッド３１ａの最大長さ）より大きな寸法で形成されていることが好ましく、例えば、芝台１２の締結凹部１２ａの直径より若干大きな寸法で形成されていることが特に好ましい。これら中台１３の連結孔１３ｂ、上台１４の連結孔１４ｂ及びスリン１５の連結孔１５ｂの径は、順に大きな寸法で形成されていてもよいが、略同一の寸法で形成されていることが好ましい。
【００３８】
これらの連結孔１３ｂ、１４ｂ、１５ｂ内に横ずれ防止部材を設けるようにしてもよいが、例えば、中台１３の連結孔１３ｂの略中央部から上台１４の連結孔１４ｂの略中央部まで内に横ずれ防止部材３４を設けることが好ましい。横ずれ防止部材３４としては、特に限定されないが、例えば、塩化ビニル等で形成されていることが好ましい。横ずれ防止部材３４は、例えば、内径が上部締付ネジ棒７１の径より若干大きな寸法で、外径が連結孔１３ｂ、１４ｂの径より若干小さな寸法の円筒状に形成されていることが好ましい。この横ずれ防止部材３４を中台１３の連結孔１３ｂの略中央部から上台１４の連結孔１４ｂの略中央部までの間に位置されるように、上部締付ネジ棒７１に例えばナット３７を設けるようにしてもよい。ナット３７は、横ずれ防止部材３４の下端部だけでもよいが、上端部と下端部の両方に設けるようにすることが好ましい。なお、横ずれ防止部材は、２つの連結孔１３ｂ、１４ｂに挿入されているが、これに限定されるものではなく、３つ以上の連結孔に１つの横ずれ防止部材を挿入するようにしてもよい。
【００３９】
スリン１５の連結孔１５ｂの上面側（スリン１５の上面側）は、拡径されて締結凹部１５ａとして形成され、この締結凹部１５ａに締付ネジ棒７に螺合された締付部材例えばナット３８等がワッシャー３９を介して収容されている。ナット３８は、締結凹部１５ａに収容し得る任意の大きさで形成されている。ワッシャー３９の径は、締結凹部１５ａの径より小さく連結孔１５ｂの径より大きな寸法、例えば、締結凹部１５ａの径より若干小さな寸法で形成されていることが好ましい。
【００４０】
竿石１６の下面の幅方向及び前後方向の略中央部には、高さ方向に延び、上部締付ネジ棒７１の上端部が挿入されるネジ固定凹部１６ａが設けられている。このネジ固定凹部１６ａには、当該ネジ固定凹部１６ａに挿入された上部締付ネジ棒７１の上端部を固着する接着剤２６が注入されている。接着剤２６としては、上部締付ネジ棒７１の竿石１６への固着を行えるならば特に限定されず、例えば、セラミック系接着剤などのエポキシ系接着剤等が用いられる。
【００４１】
ネジ固定凹部１６ａ内又は上部締付ネジ棒７１の上部内には、図７に示すように、加熱部材（カートリッジヒーター２７）が設けられていることが好ましい。加熱部材は、ネジ固定凹部１６ａに注入して上部締付ネジ棒７１の上端部を竿石１６に固着させた接着剤２６に熱を作用させてその接着剤２６の接着力を不能にするものである。加熱部材としては、特に限定されず、例えば、カートリッジヒーター２７等が用いられる。カートリッジヒーター２７は、例えば、上部締付ネジ棒７１にその同軸上に貫通孔７１ａを設け、この貫通孔７１ａの上端部及び上部に設けるようにしてもよく、カートリッジヒーター２７を駆動させる電線やケーブル等の配線２８が貫通孔７１ａを介して納骨室３に至るようにすることが好ましい。また、ネジ固定凹部１６ａ内にカートリッジヒーター２７を設ける場合には、配線は、スリン１５、上台１４、中台１３及び芝台１２のそれぞれの連結孔１５ｂ、１４ｂ、１３ｂ、１２ｂを通って納骨室３に至るようにすることが好ましい。これにより、墓石構造物１を構築したまま、すなわち、基礎２上に芝台１２、中台１３、上台１４、スリン１５及び竿石１６を積重したまま納骨室３に至る配線２８を介してカートリッジヒーター２７を駆動させることができる。
【００４２】
次に本発明に係る墓石構造物を構築する場合について説明する。まず、基礎２を形成する箇所中の所望の箇所の地中に図２及び図３に示すように支柱２５例えば塩化ビニルパイルを打ち込んでからコンクリートを打設して基礎２を形成する。これにより、基礎２は支柱２５により確実に固定される。なお、基礎２を形成する際には、所望の箇所に係合ネジ５１を立てた状態で行い、基礎２の所望の箇所に係合ネジ５１を立設させる。
【００４３】
基礎２を形成した後に、この基礎２上に前面基礎石４１、側部基礎石４２、後部基礎石４３、床石４４、敷石４７及び親柱石４６を積層する。このとき、前面基礎石４１、側部基礎石４２、後部基礎石４３の貫通孔５６にそれぞれ係合ネジ５１を挿通させる。この貫通孔５６の収容凹部５６ａの係合ネジ５１にナット５２ａをワッシャー６７を介して螺合させてナット５２ａによる締付を行う。これにより、前面基礎石４１、側部基礎石４２、後部基礎石４３が基礎２に固定されることになり、前面基礎石４１、側部基礎石４２、後部基礎石４３が地震等により揺れても基礎２に対して横ずれしないと共に転倒することがない。
【００４４】
また、側部基礎石４２の貫通孔５７と前面基礎石４１の取付孔５８及び後部基礎石４３の取付孔５８を軸あわせ後に、各ヘッド収容凹部５７ａからボルト５４をそれぞれ貫通孔５７及び取付孔５８に挿通させて、ボルト５４のヘッド５４ａをヘッド収容凹部５７ａに収容させる。取付凹部５９から突出したボルト５４の先端部にワッシャー６８を介してナット５５を螺合させて締め付けることにより、隣接する基礎石４１、４２、４３同士が連結固定される。このように、前面基礎石４１、側部基礎石４２、後部基礎石４３が連結固定されることになり、前面基礎石４１、側部基礎石４２、後部基礎石４３が地震等により揺れても基礎２に対して一層横ずれしないと共に転倒することがない。また、前面基礎石４１、側部基礎石４２、後部基礎石４３が連結固定されているために、基礎石４１、４２、４３の１つが突出したり凹んだりすることがなく、かつ、基礎石４１、４２、４３間が離れることもないので、基礎石４１、４２、４３上に積層されている床石４４が傾斜したり歪んだりすることがない。
【００４５】
また、基礎２上にその凹部２１を前方が開放されたコ字状に取り囲んでカロート１１を積層する。このカロート１１上に芝台１２を積層してカロート１１の上方を閉塞することにより、納骨室３が形成される。
【００４６】
このとき、納骨室３の開口には一対の左右開き戸６１、６２からなる観音開き戸６を設けるが、一対の左右開き戸６１、６２の取付は、カロート１１を形成する前でも後でも形成しながらでも特に限定されない。一対の左右開き戸６１、６２は、例えば、それぞれ２つの蝶番６５を介して納骨室３の開口部である柱石１１ａに開閉可能に取り付けられる。これにより、組み立て容易で納骨室３の開閉を容易に行えることになる。
【００４７】
すなわち、ピボットを用いて開き戸を取り付ける場合、カロートと芝台等を組み立てるときに、開き戸にピボットを取り付け、この開き戸を納骨室の開口部に取り付けられるように、開き戸のピボットを納骨室の開口部を形成する石材の係合孔に挿入して係合させつつカロートと芝台等を組み立てることから、石材を組み立てながらのピボットと係合孔の係合が難しく組み立てを容易に行えないことがあった。つまり、ピボットの位置だしを正確に行えず、かつ、ピボットをボンドにより固定するためにボンドが固まると開き戸の取付位置の調節を行えないと共に開き戸は石で重いものであるために取付後時間が経過すると重みによりずれて動くことがあるがその場合にも開き戸の取付位置の調節を行えなかった。
【００４８】
これに対して本発明では、蝶番６５を取り付けるための柱石１１ａの取付部１１ｂの所定の位置及び一対の左右開き戸６１、６２の所定の位置にそれぞれボルトアンカー３５を予め打ち込んでおく。そして、例えば、柱石１１ａを基礎２上に積層する前に両柱石１１ａにそれぞれ一対の左右開き戸６１、６２を位置決めした状態で蝶番６５を柱石１１ａと一対の左右開き戸６１、６２のそれぞれボルトアンカー３５の軸周りに装着し、これらボルトアンカー３５にナット３６を螺合させて、蝶番６５を柱石１１ａと一対の左右開き戸６１、６２に固定する。すなわち、蝶番６５による柱石１１ａへの一対の左右開き戸６１、６２の取付を周りに障害物がない広い場所で行える。これにより、一対の左右開き戸６１、６２の柱石１１ａすなわち納骨室の開口部に一対の左右開き戸６１、６２の取付を行えるので、観音開き戸６の取付が容易である。
【００４９】
また、蝶番６５は、柱石１１ａの取付部１１ｂの納骨室３側の面、すなわち、正面とは反対側の内側の面に取り付けられているために、外部から蝶番６５が見えないので、見栄えよく観音開き戸６を取り付けることができる。
【００５０】
芝台１２をカロート１１上に積層する前には、例えば、予め基礎２の下面の両装着部２３に細長矩形板状の装着板例えばステンレス製の装着板７７を掛け渡す。装着板７７の長手方向略中央部には、下部締付ネジ棒７２が挿通する貫通孔７７ａが設けられている。この装着板７７の貫通孔７７ａに下部締付ネジ棒７２を挿通させ、この下部締付ネジ棒７２の下端部に締結部材９例えばナット３８を螺合させる。この下部締付ネジ棒７２の下端部にターンバックル７５を螺合させる。
【００５１】
芝台１２積層後、その連結孔１２ｂに上部締付ネジ棒７１を挿通させてから締付ネジ３１の螺合部３１ｂを連結孔１２ｂに挿通させつつそのヘッド３１ａを芝台１２の締結凹部１２ａに収容する。なお、上部締付ネジ棒７１には、所定の位置に予め締付ネジ３１を螺合させておく。上部締付ネジ棒７１及び締付ネジ３１の連結孔１２ｂへの挿通を行うとき、上部締付ネジ棒７１の下端部が連結孔１２ｂを貫通して芝台１２の下面から突出するので、この下端部の軸周りにワッシャー（図示せず）を介してダブルナット３２を装着する。ダブルナット３２装着後、上部締付ネジ棒７１の下端部をターンバックル７５に螺合させてから、ダブルナット３２を締付ネジ３１の螺合部３１ｂの下部に螺合させる。
【００５２】
そして、芝台１２上に中台１３及び上台１４を順次積層する。この積層は、各連結孔１３ｂ、１４ｂに芝台１２から突出する上部締付ネジ棒７１を挿通させつつ順次行う。このとき、中台１３及び上台１４の連結孔１３ｂ、１４ｂに横ずれ防止部材３４を挿入するには、中台１３及び上台１４を積層する前に、上部締付ネジ棒７１の横ずれ防止部材３４の下端部となる位置にナット３７を螺合させておき、中台１３及び上台１４を積層後に連結孔１３ｂ、１４ｂに横ずれ防止部材３４を挿入する。挿入後、必要に応じて横ずれ防止部材３４の上端部に接するようにナット３７を上部締付ネジ棒７１に螺合させるようにする。
【００５３】
上台１４上に、連結孔１５ｂに上部締付ネジ棒７１を挿通させつつスリン１５を積層する。この上部締付ネジ棒７１の上端部からワッシャー３９を通してこのワッシャー３９を締結凹部１５ａの底部に接触させる。この上部締付ネジ棒７１の上端部に締結部材９例えばナット３８を螺合させ、このナット３８をワッシャー３９を介して締結凹部１５ａに収容してナット３８の装着を行う。
【００５４】
ナット３８の装着後、納骨室３に収容されているターンバックル７５を上部締付ネジ棒７１及び下部締付ネジ棒７２に対して回転させて上部締付ネジ棒７１と下部締付ネジ棒７２間の長さを短くし、ナット３８を介して基礎２にスリン１５、上台１４、中台１３、芝台１２及びカロート１１が押し付けられて一体的に連結固定される。連結固定後、ダブルナット３２を芝台１２の下面に当接させてから下部ナット３２ｂを締付ネジ３１に対して回転させることによって、芝台１２の基礎２への締付をさらに確実に行う。
【００５５】
次に、スリン１５上に竿石１６を積層する。このとき、竿石１６を積層する前、例えば、直前にネジ固定凹部１６ａ内に例えばエポキシ系接着剤を充填しておき、竿石１６を積層したときにネジ固定凹部１６ａ内の接着剤の接着効果により上部締付ネジ棒７１の上端部に竿石１６を固着するようにする。これにより、竿石１６、スリン１５、上台１４、中台１３、芝台１２及びカロート１１の６つの墓石石材が基礎２に一体的に連結固定されて、墓石構造物１が構築される。なお、構築して数日又は数ヶ月経過した後に、ターンバックル７５による締付や締付ネジ３１による締付の締め直しを行うようにしてもよい。また、墓石石材の間にはコーキングボンドを付けて墓石石材の間の接着を行うようにしても良い。
【００５６】
したがって、本発明に係る墓石構造物１は、締付ネジ棒７によって竿石１６等の墓石石材が基礎２に連結固定されているために、地震等により揺れても基礎２に対して竿石１６等の墓石石材が横ずれしないと共に転倒することがない。また、納骨室３と外部を連結する通気孔５を設けたので、納骨室３の通気性が良好になる。また、納骨室３の開口部に、一対の左右開き戸６１、６２からなる観音開き戸６を蝶番６５を介して設けたので、組み立て容易で納骨室３の開閉を容易に行える。
【００５７】
また、墓石石材の基礎２への連結固定は、ナット３８によりスリン１５以下の墓石石材の連結固定の他に締付ネジ３１による芝台１２の基礎２への連結固定が行われているので、確実に墓石石材の横ずれや転倒を防止することができる。すなわち、墓石石材の基礎は、芝台１２であるから、この芝台１２を基礎２に連結固定することにより、芝台１２の横ずれを確実に防止することができるので、確実に墓石石材の横ずれや転倒を防止することができることになる。
【００５８】
また、墓石石材の基礎２への連結固定を行うターンバックル７５や締付ネジ３１に螺合させたダブルナット３２が納骨室３内に設けられているために、構築後であっても締付の締め直しを容易に行うことができるので、一層確実に墓石石材の横ずれや転倒を防止することができることになる。また、中台１３及び上台１４の連結孔１３ｂ、１４ｂに横ずれ防止部材３４、３６が挿入されていることで、中台１３及び上台１４の横ずれを確実に防止できるので、より一層確実に墓石石材の横ずれや転倒を防止することができる。
【００５９】
また、ネジ固定凹部１６ａ内又は上部締付ネジ棒７１の上部内に加熱部材例えばカートリッジヒーター２７が設けられていると、竿石１６の交換が容易となる。すなわち、破損等により竿石１６のみを交換したい場合には、接着剤２６により固着されている竿石１６を壊さないと竿石１６の交換を行えないが、カートリッジヒーター２７が設けられていると、カートリッジヒーター２７により接着剤２６に熱を作用させることで、その接着剤２６の接着能力がなくなるので、竿石１６の交換を容易に行える。
【００６０】
また、中台１３の連結孔１３ｂ、上台１４の連結孔１４ｂ及びスリン１５の連結孔１５ｂの径が、締付ネジ３１のヘッド３１ａの径より大きな寸法、例えば芝台１２の締結凹部１２ａの直径より若干大きな寸法であって、略同一の寸法で形成されていることで、容易に墓石石材の交換や墓石の移動を行える。すなわち、上部締付ネジ棒７１の下端部からターンバックル７５を取り外すと共に、締付ネジ３１からダブルナット３２を取り外すことにより、上部締付ネジ棒７１、特に締付ネジ３１を中台１３、上台１４及びスリン１５の連結孔１３ｂ、１４ｂ、１５ｂから抜き取って、竿石１６を上部締付ネジ棒７１と共にスリン１５上から移動させることができる。このとき、中台１３の連結孔１３ｂ、上台１４の連結孔１４ｂ及びスリン１５の連結孔１５ｂの径が、芝台１２の締結凹部１２ａの直径より若干大きな寸法で形成されていることにより、連結孔１３ｂ、１４ｂ、１５ｂからの締付ネジ３１の抜き取りを容易に行えることになる。従って、墓石石材の交換や墓石の移動を容易に行えることになる。
【００６１】
また、中台１３の連結孔１３ｂ及び上台１４の連結孔１４ｂに横ずれ防止部材３４が挿入されていると、地震等により揺れても一層横ずれが防止されると共に転倒することがない。
【産業上の利用可能性】
【００６２】
以上説明したように本発明に係る墓石構造物は、墓石石材を貫通させた締付ネジ棒の下部を基礎に係合させると共にその上部を最上部の墓石石材に固定して複数の墓石石材を基礎に連結固定し、納骨室と外部を連結する通気孔を設け、納骨室の開口部に、一対の左右開き戸からなる観音開き戸を設けたので、地震等による横ずれ、転倒を防止することができ、かつ、納骨室の通気性を良好にすると共に組み立て容易で納骨室の開閉を容易に行えることから、墓石として優れたものである。
【図面の簡単な説明】
【００６３】
【図１】本発明に係る墓石構造物の一例を示す正面図である。
【図２】図１中Ａ−Ａ線矢視図である。
【図３】図１中Ｂ−Ｂ線矢視断面図である。
【図４】図１中Ｃ−Ｃ線矢視図である。
【図５】本発明に係る観音開き戸の一例を示す平面図である。
【図６】本発明に係る基礎石固定手段の一例を示す図で、（ａ）は断面図、（ｂ）は平面図である。
【図７】本発明に係る竿石内の一例を示す部分断面図である。
【図８】本発明に係る石碑の一例を示す図で、（ａ）は正面図、（ｂ）は側面図である。
【図９】本発明に係る石碑の一例を示す図で、（ａ）は断面図、（ｂ）は側面図である。
【符号の説明】
【００６４】
１  墓石構造物
２  基礎
３  納骨室
５  通気孔
６  観音開き戸
７  締付ネジ棒
９  締付部材
１１  カロート
１２  芝台
１３  中台
１４  上台
１５  スリン
１６  竿石
３５  ボルトアンカー
３６  ナット
６１  左開き戸
６２  右開き戸
６５  蝶番
７１  上部ボルト
７２  下部ボルト
７５  ターンバックル
７７  装着板
【図１】
2007031982.tif 000003
【図２】
2007031982.tif 000004
【図３】
2007031982.tif 000005
【図４】
2007031982.tif 000006
【図５】
2007031982.tif 000007
【図６】
2007031982.tif 000008
【図７】
2007031982.tif 000009
【図８】
2007031982.tif 000010
【図９】
2007031982.tif 000011